(57)【要約】【課題】成形性を良好に保つことができ且つ水流により浮かされたり水流の勢いによりずれることを抑制することができる衛生設備部材を提供する。【解決手段】本発明の衛生設備部材１４は、衛生設備機器２の水が流れる領域に配置される衛生設備部材１４であって、この衛生設備部材１４は陶器屑を混入した樹脂により成形され、さらに、陶器屑を、２０〜４０ｗｔ％含有していることを特徴とする。【選択図】図２
2014202058.tif 000002
【特許請求の範囲】
【請求項１】
衛生設備機器の水が流れる領域に配置される衛生設備部材であって、この衛生設備部材は、陶器屑を混入した樹脂により成形され、さらに、前記陶器屑を２０〜４０ｗｔ％含有していることを特徴とする衛生設備部材。
【請求項２】
前記陶器屑の最大粒径は、５０μm以上且つ２００μm以下の範囲に設定されている請求項１に記載の衛生設備部材。
【請求項３】
前記衛生設備部材は、それ自身の表面に前記衛生設備機器の表面と色調を合わせた樹脂化粧層が形成されている請求項１又は２に記載の衛生設備部材。
【請求項４】
前記衛生設備部材は、小便器の排水口に設置される目皿である請求項１乃至３の何れか１項に記載の衛生設備部材。
【発明の詳細な説明】
【技術分野】
【０００１】
本発明は、衛生設備部材に係り、特に、小便器等の衛生設備機器の水が流れる領域に配置される衛生設備部材に関する。
【背景技術】
【０００２】
工場から排出される小便器等の衛生陶器の不良品などは、産業廃棄物として廃棄処分にされていたが、特許文献１に示すように、これらの衛生陶器を破砕した陶器屑（セルベン）が、リサイクル材として種々の用途に利用されつつある。特に、樹脂により形成された部材に、陶器屑を添加することで樹脂部材に不足しがちな重量を補うことができるので、一定重量が必要とされる部材に好適に利用できる可能性がある。
例えば、衛生設備機器にその付属部材として設けられ且つ水流を受ける部分で利用する衛生設備部材において、従来の樹脂のみからなる衛生設備部材は比較的軽量であるため、水流の浮かすように作用する力や水勢に抗することができずに、水流により動かされて異音を生じたり、傾いてずれるなどの問題があった。
そこで、この問題を解決するために、浮力や水勢に抗するものとして、陶器屑を添加して樹脂部材に不足しがちな重量を補うことが有効であると考えられた。さらに、リサイクルの視点では、陶器屑を多量に添加して使用したいという要請もあることから、陶器屑を多量に衛生設備部材に添加することも考えられる。
【先行技術文献】
【特許文献】
【０００３】
【特許文献１】特開２００７−９９５７２号公報
【発明の概要】
【発明が解決しようとする課題】
【０００４】
しかしながら、陶器屑は、加熱しても溶融せず、さらに非常に硬い石英を含むなどの特殊な性質を有している。衛生設備部材は、原料からペレットが成形され、このペレットを使用した射出成形により成形されるため、樹脂部材に不足しがちな重量を補うために、単純に陶器屑を添加する量を増大させようとすると、樹脂と陶器屑とからペレットを成形する工程においてペレットが均一に成形できず、さらに、ペレットを使用して射出成形により衛生設備部材を成形する工程においても、射出成形設備を損傷させ、成形された衛生設備部材に変形、傷などを有する欠陥品を生じさせてしまうので、衛生設備部材の成形性が著しく損なわれるという問題があった。
また、陶器屑を含んだ衛生設備部材の表面が粗く形成され、この陶器屑が衛生設備部材の表面に凹凸に露出してしまう場合、衛生設備部材に含まれた陶器屑が、非常に硬度の高い石英を含むので、衛生設備部材と接触している衛生設備機器の表面を傷つけてしまうという問題があった。この問題は衛生設備部材が水流により衛生設備機器に対してずれるように動かされる場合にはより顕著となる。
【０００５】
そこで、本発明は、従来技術の問題点を解決するためになされたものであり、成形性を良好に保つことができ且つ水流により浮かされたり水流の勢いによりずれることを抑制することができる衛生設備部材を提供することを目的としている。
【課題を解決するための手段】
【０００６】
上述した目的を達成するために、衛生設備機器の水が流れる領域に配置される衛生設備部材であって、この衛生設備部材は陶器屑を混入した樹脂により成形され、さらに、陶器屑を２０〜４０ｗｔ％含有していることを特徴としている。
このように構成された本発明においては、衛生設備部材は、陶器屑を混入した樹脂により成形され、さらに、陶器屑を２０〜４０ｗｔ％含有しているので、良好に成形することができ、成形性を良好に保つことができる。さらに、衛生設備部材が水が流れる領域に配置されても、衛生設備部材が陶器屑を２０〜４０ｗｔ％含有してその分重くなるので、水流の力に抗することができ、水流により浮かされたり水流の勢いによりずれることを抑制することができる。
【０００７】
本発明において、好ましくは、陶器屑の最大粒径は、５０μm以上且つ２００μm以下の範囲に設定されている。
このように構成された本発明においては、陶器屑の最大粒径が５０μm以上且つ２００μm以下の範囲に設定されているので、陶器屑が衛生設備部材の表面に露出する場合にも、衛生設備部材の表面が平滑に形成できる。さらに、陶器屑が、非常の硬度の高い石英を含んでいても、衛生設備機器の表面を傷つけることを抑制することができ、衛生設備機器に傷を付けにくい。
【０００８】
本発明において、好ましくは、衛生設備部材は、それ自身の表面に衛生設備機器の表面と色調を合わせた樹脂化粧層が形成されている。
このように構成された本発明においては、衛生設備部材の表面に衛生設備機器の表面と色調を合わせた樹脂化粧層が形成されているので、衛生設備部材が陶器屑を含有して色合いの調整が難しくなる場合であっても、衛生設備部材と衛生設備機器との色調を合わせることができ、衛生設備機器と組み合わせて配置しやすい衛生設備部材を提供することができる。
【０００９】
本発明において、好ましくは、衛生設備部材は、小便器の排水口に設置される目皿である。
このように構成された本発明においては、衛生設備部材を、小便器において水流が集中して排水される排水口に設置される目皿として使用し、良好に利用することができる。
【発明の効果】
【００１０】
本発明の衛生設備部材によれば、成形性を良好に保つことができ且つ水流により浮かされたり水流の勢いによりずれることを抑制することができる衛生設備部材を提供することができる。
【図面の簡単な説明】
【００１１】
【図１】本発明の実施形態による目皿を備えた小便器において、便器給水流路及びフラッシュバルブを取り外した状態を示す斜視図である。
【図２】本発明の実施形態による目皿を備えた小便器において、小便器の下側部分の中央断面を示す部分断面図である。
【図３】本発明の実施形態による目皿の平面図である。
【図４】本発明の実施形態による目皿の側面図である。
【図５】図２に示された小便器の排水口の入口部分近傍の拡大断面図である。
【図６】本発明の実施形態による目皿を製造するためのペレットを成形する工程について説明する図である。
【図７】本発明の実施形態による目皿を射出成形する射出成形工程について説明する図である。
【図８】図８（ａ）は、本発明の実施例である、ポリ塩化ビニル樹脂のベースコンパウンドに、適量のブタチン系衝撃補強剤と、最大粒径２００μm以下且つ３０ｗｔ％の重量のセルベンと、を添加し、これらにより成形されたペレットを用いて、射出成形装置を使用して射出成形された目皿の表面を、光学顕微鏡（１００倍）で観察した写真を示す図であり、図８（ｂ）は、比較例１において、ポリ塩化ビニル樹脂のベースコンパウンドに、適量のブタチン系衝撃補強剤と０ｗｔ％の重量のセルベンを添加し（すなわちセルベンを添加しないで）、これらにより成形されたペレットを用いて、射出成形装置を使用して射出成形された目皿の表面を、光学顕微鏡（１００倍）で観察した写真を示す図である。
【発明を実施するための形態】
【００１２】
以下、図１を参照して、本発明の実施形態による目皿（衛生設備部材）を備えた小便器（衛生設備機器）を説明する。図１は本発明の実施形態による目皿を備えた小便器において、便器給水流路及びフラッシュバルブを取り外した状態を示す斜視図であり、図２は本発明の実施形態による目皿を備えた小便器において、小便器の下側部分の中央断面を示す部分断面図であり、図３は本発明の実施形態による目皿の平面図であり、図４は本発明の実施形態による目皿の側面図であり、図５は図２に示された小便器の排水口の入口部分近傍の拡大断面図である。
【００１３】
図１及び図２に示すように、衛生設備機器である小便器１は、背面側を壁面（図示せず）に取付けられる小便器本体２を備え、小便器本体２は、壁内に延びる給水配管（図示せず）に接続されている便器給水管４と、便器給水管４に接続され、便器ボウル部８を洗浄する洗浄水を放射状に吐水するスプレッダ６と、スプレッダ６から吐水された洗浄水を受ける便器ボウル部８と、便器給水管４及び給水配管（図示せず）に連通され、且つ小便器本体２の洗浄作用を制御するように洗浄水をスプレッダ６から便器ボウル部８に吐水させる吐水手段であるフラッシュバルブ１０と、を備えている。
この便器ボウル部８のその底部８ａには、洗浄水を排出する便器排水口８ｂが形成され、便器排水口８ｂは、この下流側に設けられた排水トラップ管路１１に接続されている。この排水トラップ管路１１は、下流側の横引配管（図示せず）に連結されている。
便器ボウル部８は、小便器本体２の上部から底部まで延び、スプレッダ６から下方に広がる流面８ｃを形成し、底部８ａ近傍においては、洗浄水を前後左右から便器排水口８ｂに向かって集めるように傾斜しながら収束する流面を形成している。
フラッシュバルブ１０は、フラッシュバルブ１０内に、給水弁（図示せず）を備えており、フラッシュバルブ１０の前面側に設けられた操作ボタン１２によりこの給水弁を開閉するようになっている。この小便器においては、使用者が操作ボタン１２を操作すると、所定量の洗浄水が、小便器本体２に供給されるようになっている。本実施形態においては、ボタン式のフラッシュバルブ以外に、制御部により制御される電磁弁により洗浄水を供給するものであっても良い。
【００１４】
次に、図３乃至図５に示すように、本発明の実施形態による目皿を説明する。
本発明の実施形態による目皿１４は、小便器本体２の便器ボウル部８の便器排水口８ｂの入口部８ｄ上に設けられている。
目皿１４は、円形の平皿形状の洗浄水受け面を形成する頂面部１４ａと、この頂面部１４ａの外周においてやや肉厚に形成された外縁部１４ｂと、便器排水口８ｂの入口部８ｄ上に当接するように配置される背面部１４ｃと、背面部１４ｃに形成され且つ便器排水口８ｂの入口部８ｄ上に着座する座部１４ｄとを備えている。ここで、目皿１４には、頂面部１４ａから目皿１４を貫通するように、頂面部１４ａの中心部、及び中心部よりやや外側の円周上における３箇所に水抜き孔１４ｅが形成されている。
【００１５】
目皿１４は、頂面部１４ａと底部８ａとが連続して便器ボウル部８のほぼ面一の底面を形成するように、便器ボウル部８のその底部８ａの便器排水口８ｂの入口部８ｄ上に配置される。目皿１４は、３つの座部１４ｄが入口部８ｄと当接することにより、入口部８ｄ上に置かれ、目皿１４自身の重さにより、入口部８ｄ上に安置されるようになっている。目皿１４が入口部８ｄ上に置かれた状態で、外縁部１４ｂと入口部８ｄとの間、及び背面部１４ｃと入口部８ｄとの間、には、わずかに洗浄水が通過できるような隙間が形成されている。
頂面部１４ａ及び外縁部１４ｂには、その表面に便器ボウル部８の表面と色調、色の統一感、又は色の定義を合わせた樹脂性の化粧層１４ｆが施されている。図３及び図４において化粧層１４ｆが塗られている領域を点（ドット）で示している。化粧層１４ｆは、目皿１４の表面をほぼ均一で滑らかに覆う層として形成されている。
化粧層１４ｆにより、使用者は、目皿１４が便器ボウル部８と別部材として目立つように感じにくく、目皿１４と便器ボウル部８との統一的な美観を感じることができる。化粧層１４ｆは、セルベンを含有していない樹脂材料により形成されている。
【００１６】
目皿１４は、後述するように陶器屑を２０〜４０ｗｔ％混入した樹脂により成形されている。この陶器屑の最大粒径は、５０μm以上且つ２００μm以下の範囲に設定されている。ここで、陶器屑の最大粒径が、２００μm以下の範囲に設定されるとは、陶器屑の最大粒径が、２００μm以下になるように篩等により陶器屑の粒径を、２００μm以下に分級することをいい、他に例えば、陶器屑の最大粒径が、１００μm以下の範囲に設定されるとは、陶器屑の最大粒径が、１００μm以下になるように篩等により陶器屑の粒径を、１００μm以下に分級することをいう。
衛生陶器屑（セルベン）には、石英、アルミナ、泥等が含まれている。石英は、非常に硬度が高い物質であり、衛生陶器釉薬表面の硬度よりも高い硬度を有している。陶器屑の粒度が５ミリ、１０ミリ等のように大きくなる場合には衛生陶器部材の表面に陶器屑が露出して衛生陶器機器を傷つけてしまうので、衛生陶器部材には利用できない。
上述する陶器屑は、衛生陶器を形成する樹脂よりも比重が大きいので、陶器屑を混入した樹脂により成形される目皿１４は、樹脂のみにより成形される目皿よりも重量を有する。
【００１７】
次に、図６及び図７により、本発明の実施形態による目皿の成形工程について説明する。
図６は本発明の実施形態による目皿を製造するためのペレットを成形する工程について説明する図であり、図７は本発明の実施形態による目皿を射出成形する射出成形工程について説明する図である。
【００１８】
先ず、ペレット１６を成形する工程について説明する。
ペレット１６を成形する工程はペレタイザ１８において行われる。
ペレタイザ１８において、ホッパー１９内にポリ塩化ビニル樹脂のベースコンパウンドに一定量のブタチン系衝撃補強剤、及び所定の粒径に分級選別された衛生陶器屑粉（セルベン）を加え、さらに、加熱部２０で熱を加えながら混練することにより、溶融状態（比較的粘性を有した溶融状態を含む）にされる。
なお、ポリ塩化ビニル樹脂のベースコンパウンドは、小便器の目皿の材料として、たばこによる延焼が懸念されるため、不燃性の材料であるポリ塩化ビニル（PVC）を利用しているものであるが、他の樹脂材料に難燃剤を添加したものでも良い。セルベンは、破砕された衛生陶器屑を分級機又は振動篩などにより所定の最大粒径を有するように分級選別されている。
ペレタイザ１８は、さらに、ダイス２１及びカッター２２を備えており、溶融した状態の材料が、スクリュー２３により、ペレタイザ１８のダイス２１に押圧され、ダイス２１の筒形状の小孔内を通り抜け、この小孔内を通り抜けた先に配置されたカッター２２により円筒形の粒状のペレット形状に裁断される。このようにして、3〜5mm程度の長さの円筒形状のペレット１６が成形される。
セルベンは、その最大粒径が小さくなるとき、加熱部２０で樹脂と混練して、ダイス２１においてペレット１６を成形する際に、粘性の変化が大きくなる傾向があり、粘性の変化が大きくなると均一で安定した形状にペレット１６が成形出来ない場合がある。従って、セルベンの最大粒径は、５０μm以上が好ましい。ここで、セルベンの最大粒径が５０μm以上且つ２００μm以下の範囲に設定されたセルベンを使用して成形されているので、ペレット１６が円筒形状に良好に成形できる。
【００１９】
本発明の実施形態である目皿１４を製造するために必要なペレット１６は、２０〜４０ｗｔ％のセルベン重量ｗｔ％を有しているので、ペレット１６が円筒形状に良好に成形できる。
ここで、セルベンを６０ｗｔ％以上のセルベン重量ｗｔ％になるまで添加するような場合には、ペレットの成形性が著しく損なわれる。具体的には、ペレットからセルベンが脱離する等の理由により、ペレット１６が円筒形状から崩れたような形状に成形される。このような崩れた形状のペレットを用いて、次の射出成形工程を行うとき、ペレットが均一でないので、セルベンの流入量が変わり、セルベン重量ｗｔ％も変化するため、成形品の成形性も著しく損なわれてしまう、また成形品の品質も一定に保つことができない。
【００２０】
次に、図７に示すように、射出成形による目皿の射出成形工程について説明する。
上述の様に成形されたペレット１６を射出成形装置２４のホッパー２６に投入する。
ホッパー２６に投入されたペレット１６は、ヒータ２８によって加熱されたシリンダー(加熱筒)３０の中を通り、溶融される。例えば、ポリ塩化ビニル樹脂のベースコンパウンドを含むペレット１６は、ヒータ２８によって150〜210℃に加熱される。ペレット１６が溶融されると、再び溶融された樹脂と粒状のままのセルベンとを含んでいる溶融状態の混合成形材料３２になる。
【００２１】
次に、この溶融状態の混合成形材料３２を、スクリュー３４によって強い圧力をかけながら、射出成形装置２４のノズル３６から金型３８内に射出(流し込む)する。
この金型３８はオス型４０とメス型４２の２つにより構成され、溶融状態の混合成形材料３２はオス型４０とメス型４２の間の目皿形状のくぼみに流し込まれ、且つ圧力が加えられた状態で保たれる。
【００２２】
金型３８内に射出された混合成形材料３２は、自身が固まるまで金型３８に入ったままの状態で冷却される。混合成形材料３２が冷却され固まった後、金型３８が開けられ、混合成形材料３２が冷却固化された成形品４１（化粧層１４ｆが付加されていない目皿）が取り出される。成形品４１は、目皿としての機能を果たすことができるものであるが、成形品４１の外観の色調を、便器ボウル部８の底部８ａの色調と合わせて調和させるために、追加の化粧層成形工程を行う。
【００２３】
次に、本発明の実施形態による目皿の化粧層成形工程について説明する。
化粧層成形工程は、化粧層１４ｆを前述の成形品４１上に射出成形することにより行われる。
前述のように射出成形により形成された成形品４１を、化粧層成形金型内に配置する。溶融状態の化粧層樹脂材料を化粧層成形金型内に射出（流し込む）し、且つ圧力が加えられた状態で保たれる。化粧層成形金型内に射出された化粧層樹脂材料は、自身が固まるまで化粧層成形金型に入ったままの状態で冷却される。化粧層樹脂材料が冷却され固まった後、金型が開けられ、化粧層樹脂材料が冷却固化されて頂面部１４ａ及び外縁部１４ｂに化粧層１４ｆが形成された成形品（目皿１４）が取り出される。成形品４１と、化粧層樹脂材料とは、同様の樹脂を含むので、射出成形された化粧層１４ｆと成形品４１の両者の密着性を良好に保つことができる。
ここで、化粧層樹脂材料は、小便器本体２の色調と色調を合わせるように着色されたポリ塩化ビニル樹脂である。
【００２４】
次に、本発明の実施形態による目皿を備えた小便器の動作を説明する。
小便器１は、使用者が使用していない待機状態においては、フラッシュバルブ１０内の給水弁が閉状態であり、便器ボウル部８の洗浄は行われていない。
使用者が小便器１を使用する場合、通常、使用者は小便器１の前に立ち、便器ボウル部８に放尿を行う。使用者が放尿を終え、放尿を済ませた使用者が操作ボタン１２を押すと、フラッシュバルブ１０内の給水弁が開状態にされる。よって、洗浄水がフラッシュバルブ１０から便器給水管４を通りスプレッダ６から吐水され、小便洗浄動作が開始される。
スプレッダ６から吐水される洗浄水は、スプレッダ６から放射状方向に、便器ボウル部８のスプレッダ６から下方に広がる流面８ｃ上に拡がるように吐水され、便器ボウル部８の内面全体にわたって高い瞬間流量で流下しながら便器ボウル部８の洗浄を行うことができる。洗浄水は、便器ボウル部８を流下し、便器排水口８ｂに向かって前後左右から集まるように流れ込む流れとなる。便器排水口８ｂに向かって流れ込む流れは、前後左右から集まるように一気に流れ込む。
【００２５】
便器排水口８ｂに向かって流れ込む洗浄水は、便器排水口８ｂ入口部８ｄ上に設置されている目皿１４に向かって目皿１４の周囲から便器排水口８ｂの中心に向かって流れ込むような流れを形成する。
目皿１４の周囲から便器排水口８ｂの中心に向かって流れ込むような流れは、外縁部１４ｂと入口部８ｄとの間から目皿１４を背面部１４ｃ側から目皿１４を浮かせるように流入しようとするが、目皿１４が水流の力に抗するような重量を有しているので、目皿１４は当初設置位置から浮くように動かされにくくなっている。
さらに、目皿１４の周囲から便器排水口８ｂの中心に向かって流れ込むような流れは、外縁部１４ｂ及び頂面部１４ａに水流の勢いを有しながらぶつかるため、目皿１４を当初設置位置からずれるように移動させようとする方向の力を作用するが、目皿１４が水流の力に抗するような重量を有しているので、目皿１４が当初設置位置からずれるように移動されにくくなっている。従って、目皿１４が便器排水口８ｂと接触しながらこすれるように移動されて便器排水口８ｂ又は底部８ａの表面に傷をつけることも抑制することができる。
【００２６】
このように、目皿１４は、水流中で、目皿１４が全部又は一部が浮かされるように動かされにくく、また、目皿１４が、傾いて横方向にずれるように移動されにくくでき、安定して配置された状態を保つことができる。この状態で、目皿１４の周囲から便器排水口８ｂの中心に向かって流れ込むような流れは、目皿１４の頂面部１４ａ上から水抜き孔１４ｅを通過して便器排水口８ｂ内に流れる。
便器排水口８ｂ内に流入した洗浄水は、この下流の排水トラップ管路１１を通過し、横引配管（図示せず）に流入し、さらに下流の排水配管（図示せず）に向かって流れる。スプレッダ６からの所定の瞬間流量の吐水が一定時間継続されると、フラッシュバルブ１０は、給水弁を閉止して、スプレッダ６からの吐水を終了させ、小便器１の洗浄動作は終了する。
【実施例】
【００２７】
本発明の実施例１乃至３として、ポリ塩化ビニル樹脂のベースコンパウンドに、適量のブタチン系衝撃補強剤と、最大粒径２００μm以下且つ２０、３０及び４０ｗｔ％の重量のセルベン（衛生陶器屑粉）と、を添加し、これらにより成形されたペレットを用いて、射出成形装置を使用して小便器の目皿（容積：３３ｃｍ3）を射出成形した。
【００２８】
比較例１乃至４として、ポリ塩化ビニル樹脂のベースコンパウンドに、適量のブタチン系衝撃補強剤と、最大粒径２００μm以下且つ０、１５、５０及び６０ｗｔ％の重量のセルベン（衛生陶器屑粉）と、を添加し、これらにより成形されたペレットを用いて、射出成形装置を使用して小便器の目皿（容積：３３ｃｍ3）を射出成形した。
【００２９】
本発明の実施例１乃至３として２０、３０及び４０ｗｔ％の重量のセルベンを添加して射出成形された成形品である目皿の密度（g/cm3）を示し、成形品の状態の評価、水流の評価を行った結果、及び、比較例１乃至４として、０、１５、５０及び６０ｗｔ％の重量のセルベンを添加して射出成形された成形品である目皿の密度（g/cm3）を示し、成形品の状態の評価、水流の評価を行った結果を表１に示す。
【００３０】
【表１】
2014202058.tif 000003
【００３１】
表１に示す成形品の状態評価は、成形品の表面状態を目視により評価することにより行われ、以下のように状態の評価結果を示している。
○：陶器屑粒子（セルベン粒子）の脱離、表面のヒビが見られない状態。
×：陶器屑粒子の脱離、表面のヒビが見られる状態。
【００３２】
表１に示す水流評価は、TOTO製小便器（品番U500）にて、ボウル面を洗浄（最大瞬間流量１７L/min、最小瞬間流量10L/min、水量４L）した際の目皿の状態を評価することにより行われ、以下のように状態の評価結果を示している。
○：特に異常が見られない状態。
△：目皿と小便器本体との衝突音（カタカタ音）が若干生じる状態。
×：目皿と小便器本体との衝突音（カタカタ音）が生じたり、傾いてずれてしまう状態。
【００３３】
表１に示すように、成形品である目皿の密度（g/cm3）は、添加するセルベン重量が増えるにつれて、増大することが確認された。
表１に示す成形品の状態評価によれば、実施例１乃至３において、目皿表面からの陶器屑粒子の脱離、表面のヒビが見られない状態が確認され、一方、比較例４において、目皿表面からの陶器屑粒子の脱離、表面のヒビが見られる状態が確認された。
表１に示すように、５０ｗｔ％以下の重量のセルベンを添加して成形した目皿の状態評価において、目皿が良好に成形されることができ、目皿の成形性は良好に保たれていることが確認された。
【００３４】
表１に示す水流評価によれば、実施例２及び３において、ボウル面を洗浄した水流の力に抗することができ且つ特に浮き上がる又は移動して衝突音を発生するなどの異常が見られない状態が確認され、実施例１において、目皿と小便器本体との衝突音（カタカタ音）が若干生じた状態が確認され、一方、比較例１及び２において、目皿と小便器本体との衝突音（カタカタ音）が生じたり、傾いてずれてしまう状態が確認された。従って、２０ｗｔ％以上の重量のセルベンを添加して成形した目皿は、ボウル面を洗浄した水流の力に（動かされないように）抗することができる重量を有していると考えられる。
【００３５】
次に、本発明の実施例４乃至６として、ポリ塩化ビニル樹脂のベースコンパウンドに、適量のブタチン系衝撃補強剤と、５０、１００、１５０、２００μmの各々以下の最大粒径且つ２０、３０及び４０ｗｔ％の各々の重量のセルベン（衛生陶器屑粉）と、を添加し、これらにより成形されたペレットを用いて、射出成形装置を使用して小便器の目皿（容積：３３ｃｍ3）を射出成形した。
【００３６】
比較例５乃至１０として、ポリ塩化ビニル樹脂のベースコンパウンドに、適量のブタチン系衝撃補強剤と、５０乃至４００μmの５０μm毎以下の最大粒径且つ０、１５及び５０ｗｔ％の重量のセルベン（衛生陶器屑粉）又は２５０、３００、３５０、４００μmの各々以下の最大粒径且つ２０、３０及び４０ｗｔ％の各々の重量のセルベン（衛生陶器屑粉）と、を添加し、これらにより成形されたペレットを用いて、同様に射出成形装置を使用して小便器の目皿（容積：３３ｃｍ3）を射出成形した。
【００３７】
本発明の実施例４乃至６として５０、１００、１５０、２００μmの各々以下の最大粒径且つ２０、３０及び４０ｗｔ％の各々の重量のセルベンを添加して射出成形された成形品である目皿の成形品の表面性状の評価、成形性の評価を行った結果、及び、比較例５乃至１０として、５０乃至４００μmの５０μm毎以下の最大粒径且つ０、１５及び５０ｗｔ％の重量のセルベン又は２５０、３００、３５０、４００μmの各々以下の最大粒径且つ２０、３０及び４０ｗｔ％の各々の重量のセルベンを添加して射出成形された成形品である目皿の成形品の表面性状の評価、成形性の評価を行った結果を表２に示す。
【００３８】
【表２】
2014202058.tif 000004
【００３９】
表２に示す成形品の表面性状評価は、成形品の表面を光学顕微鏡（１００倍）で確認することにより行われ、以下のように状態の評価結果を示している。
○：平滑状態
△：陶器屑粒子の脱離による表面凹凸が部分的に見られる。
×：陶器屑粒子の脱離による表面凹凸が全面に見られる。
【００４０】
表２に示す成形品の成形時の成形性評価は、以下のように評価結果を示している。
○：良好な形状を維持した成形品が成形できる。
△：変形、傷などを有する欠陥品が若干含まれる。
×：変形、傷などを有する欠陥品が多く含まれる。
【００４１】
さらに、セルベンの最大粒径が小さい場合（例えば最大粒径が５０μmよりも小さい場合）には、ポリ塩化ビニル樹脂のベースコンパウンドとセルベンとを混練してペレットを成形するときに、粘性の変化が大きくなる傾向があるため、成形されるペレット形状が均一形状にできない場合があり、従って、成形されたペレットを用いて射出成形された目皿の成形性に悪影響を及ぼす場合が確認された。
比較例９及び１０において、セルベンの最大粒径が大きい場合（例えば４０ｗｔ％のセルベン重量且つ最大粒径が３００μmよりも大きい場合又は５０ｗｔ％のセルベン重量且つ最大粒径が２５０μmよりも大きい場合等）には、射出成形装置のスクリュー等に傷を生じさせ、成形品の表面性状を粗く形成させてしまい、陶器屑粒子の脱離による表面凹凸が一部又は全面に見られる場合があることが確認された。
このように、セルベンの最大粒径が５０μmよりも小さい場合には、粘性の変化が大きくなる傾向があり、さらに、セルベンを分級する際に特殊な篩が必要とされるので、本発明の実施形態における目皿の成形には、最大粒径５０μm以上のセルベンを使用することとしている。
【００４２】
実施例４乃至６に示すように、本発明の実施例として５０、１００、１５０、２００μmの各々以下の最大粒径且つ２０、３０及び４０ｗｔ％の各々の重量のセルベンを添加して射出成形された成形品である目皿の表面性状の評価をそれぞれ行った結果、いずれの場合にも、目皿の表面は平滑な状態、すなわち、表面に陶器屑が露出していない又は露出していてもほぼ滑らかな平面の状態に形成されていることが確認された。
【００４３】
表２に示す成形品の表面性状評価の一例を、図８（ａ）、（ｂ）により示す。
図８（ａ）は、本発明の実施例である、ポリ塩化ビニル樹脂のベースコンパウンドに、適量のブタチン系衝撃補強剤と、最大粒径２００μm以下且つ３０ｗｔ％の重量のセルベンと、を添加し、これらにより成形されたペレットを用いて、射出成形装置を使用して射出成形された目皿の表面を、光学顕微鏡（１００倍）で観察した写真を示す図であり、図８（ｂ）は、比較例１において、ポリ塩化ビニル樹脂のベースコンパウンドに、適量のブタチン系衝撃補強剤と０ｗｔ％の重量のセルベンを添加し（すなわちセルベンを添加しないで）、これらにより成形されたペレットを用いて、射出成形装置を使用して射出成形された目皿の表面を、光学顕微鏡（１００倍）で観察した写真を示す図である。
図８（ａ）に示すように、３０ｗｔ％の重量のセルベンを添加して成形した目皿の表面において、表面の状態はほぼ平滑状態となっており、ほぼ滑らかな平面の状態に形成されている。図８（ａ）に示す表面を、図８（ｂ）に示す、セルベンを添加しないで成形した目皿の表面と比較しても、同様の、ほぼ平滑状態となっていることが確認された。
【００４４】
次に、上述した本発明の実施形態による目皿１４の作用効果を説明する。
上述した本発明の実施形態による目皿１４は、陶器屑を混入した樹脂により成形され、さらに、陶器屑を２０〜４０ｗｔ％含有しているので、良好に成形することができ、成形性を良好に保つことができる。さらに、目皿１４が水が流れる領域に配置されても、目皿１４が陶器屑を２０〜４０ｗｔ％含有してその分重くなるので、水流の力に抗することができ、水流により浮かされたり及び水流の勢いによりずれることを抑制して、安定して配置することができ、信頼性の高い目皿１４を提供することができる。
【００４５】
また、本発明の実施形態による目皿１４は、小便器本体２の水が流れる領域に配置され、その表面が小便器本体２の表面と互いに接触した状態で配置されている。目皿１４は、陶器屑の最大粒径が５０μm以上且つ２００μm以下の範囲に設定されているので、陶器屑が目皿１４の表面に露出する場合にも、目皿１４の表面が平滑に形成できる。さらに、陶器屑が、非常の硬度の高い石英を含んでいても、小便器本体２の表面を傷つけることを抑制することができ、小便器本体２に傷を付けにくい。
【００４６】
また、本発明の実施形態による目皿１４においては、目皿１４の表面に小便器本体２の表面と色調を合わせた樹脂化粧層１４ｆが形成されているので、目皿１４が陶器屑を含有して色合いの調整が難しくなる場合であっても、目皿１４と小便器本体２との色調を合わせることができ、小便器本体２と組み合わせて配置しやすい目皿１４を提供することができる。
【００４７】
また、本発明の実施形態による目皿１４を、小便器本体２において水流が集中して排水される便器排水口８ｂに設置される目皿として使用し、良好に利用することができる。
【００４８】
次に、本発明の実施形態による衛生設備部材は、他の用途、例えば浴室の床に形成された排水口に設けられる椀型トラップ内に配置された椀にも適用可能である。
この椀は、椀型トラップ内に椀が下方の排水管に向かって伏せる向きに配置されることにより椀型トラップを形成する部材であり、陶器屑を混入した樹脂により成形され、且つ椀型トラップの水流が集中する領域において椀型トラップと接触しながら配置される。椀は、陶器屑を、２０〜４０ｗｔ％含有しているので、良好に成形されることができ、さらに、水流の力に抗するような重量を有し、水流により浮かされること及び水流の勢いによりずれることを抑制して、安定して配置されることができる。また、陶器屑の最大粒径は、５０μm以上且つ２００μm以下の範囲に設定されているので、衛生設備部材の表面が平滑に形成でき、さらに、衛生設備機器の表面を傷つけることを抑制することができ、衛生設備機器に傷を付けにくい。
また、椀は、椀型トラップと組み合わせて配置される部材であり、自身の表面に椀型トラップの表面と色調を合わせた樹脂層が形成されている。
この椀の成形工程は、本発明の実施形態による目皿の成形工程と基本的に同じであるので説明を省略する。
【符号の説明】
【００４９】
１            小便器
２            小便器本体
８            便器ボウル部
８ｂ          便器排水口
１４          目皿
１４ｆ        化粧層
【図１】
2014202058.tif 000005
【図２】
2014202058.tif 000006
【図３】
2014202058.tif 000007
【図４】
2014202058.tif 000008
【図５】
2014202058.tif 000009
【図６】
2014202058.tif 000010
【図７】
2014202058.tif 000011
【図８】
2014202058.tif 000012